(57)【特許請求の範囲】
【請求項１】
圧縮機、第１四方弁、熱源側熱交換器、第１膨張弁、第１補助熱交換器と第２補助熱交換器とからなる冷媒対冷媒熱交換器の第１補助熱交換器を順次環状に接続し、第２膨張弁と蓄熱用熱交換器と放熱用熱交換器と蓄熱材とからなる蓄熱槽の蓄熱用熱交換器との直列接続回路を、前記第１膨張弁と前記冷媒対冷媒熱交換器の第１補助熱交換器との直列接続回路に並列に接続してなる熱源側冷凍サイクルと、
冷媒搬送ポンプと第２四方弁と冷媒タンクとからなるポンプユニットと、利用側熱交換器と室内流量弁と室内ファンとからなる複数の室内ユニットと、第１流量弁と前記第２補助熱交換器との直列接続回路を第２流量弁と前記放熱用熱交換器と二方弁との直列接続回路を並列に接続したものとを環状に接続してなる利用側冷凍サイクルと、
前記放熱用熱交換器を使用しない冷房運転モ−ドであることを検知する運転モ−ド検知手段と、冷房運転時の前記第２補助熱交換器出口の冷媒過冷却度とその保持時間を検知する第１冷媒過冷却度検知手段と、前記第２補助熱交換器内圧力と前記放熱用熱交換器内圧力の圧力差を検知する圧力検知手段と、前記運転モ−ド検知手段と前記第１冷媒過冷却度検知手段と前記圧力検知手段とにより得られた情報に基づいて前記第２流量弁、前記室内ファン、前記圧縮機を駆動するよう演算処理を行う第１演算処理手段とから構成された第１制御装置とを有し、
前記第１演算処理手段は、前記運転モ−ド検知手段によって前記放熱用熱交換器を使用しない冷房運転モ−ドであると検知したとき、前記第１冷媒過冷却度検知手段によって検知された前記冷媒過冷却度、及びその保持時間が第１の所定値以下かつ所定時間以上継続するとき、前記圧力検知手段によって検知された前記第２補助熱交換器内圧力が前記放熱用熱交換器内圧力以上の場合には、前記第２補助熱交換器内圧力が前記放熱用熱交換器内圧力より低くなるまで前記室内ファンを停止し、前記第２補助熱交換器内圧力が前記放熱用熱交換器内圧力より低い場合には、前記冷媒過冷却度、及びその保持時間が第１の所定値より大きい第２の所定値以上かつ所定時間以上継続するまで前記第２流量弁を所定開度まで開き、前記冷媒過冷却度、及びその保持時間が第２の所定値より大きい第３の所定値以上かつ所定時間以上継続するとき、前記第２補助熱交換器内圧力が前記放熱用熱交換器内圧力以下の場合には、前記第２補助熱交換器内圧力が前記放熱用熱交換器内圧力より高くなるまで前記圧縮機を停止し、前記第２補助熱交換器内圧力が前記放熱用熱交換器内圧力より高い場合には、前記冷媒過冷却度、及びその保持時間が第３の所定値より小さく第２の所定値より大きい第４の所定値以下かつ所定時間以上継続するまで前記第２流量弁を所定開度まで開くことを特徴とする蓄熱式空気調和機。
【請求項２】
圧縮機、第１四方弁、熱源側熱交換器、第１膨張弁、第１補助熱交換器と第２補助熱交換器とからなる冷媒対冷媒熱交換器の第１補助熱交換器を順次環状に接続し、第２膨張弁と蓄熱用熱交換器と放熱用熱交換器と蓄熱材とからなる蓄熱槽の蓄熱用熱交換器との直列接続回路を、前記第１膨張弁と前記冷媒対冷媒熱交換器の第１補助熱交換器との直列接続回路に並列に接続してなる熱源側冷凍サイクルと、
冷媒搬送ポンプと第２四方弁と冷媒タンクとからなるポンプユニットと、利用側熱交換器と室内流量弁と室内ファンとからなる複数の室内ユニットと、第１流量弁と前記第２補助熱交換器との直列接続回路を第２流量弁と前記放熱用熱交換器と二方弁との直列接続回路を並列に接続したものとを環状に接続してなる利用側冷凍サイクルと、
前記放熱用熱交換器を使用しない冷房運転モ−ドであることを検知する運転モ−ド検知手段と、冷房運転時の前記冷媒搬送ポンプ出口の冷媒過冷却度とその保持時間を検知する第２冷媒過冷却度検知手段と、前記第２補助熱交換器内圧力と前記放熱用熱交換器内圧力の圧力差を検知する圧力検知手段と、前記運転モ−ド検知手段と前記第２冷媒過冷却度検知手段と前記圧力検知手段とにより得られた情報に基づいて前記第２流量弁、及び前記室内ファン、及び前記圧縮機を駆動するよう演算処理を行う第２演算処理手段とから構成された第２制御装置とを有し、
前記第２演算処理手段は、前記運転モ−ド検知手段によって前記放熱用熱交換器を使用しない冷房運転モ−ドであると検知したとき、前記第２冷媒過冷却度検知手段によって検知された前記冷媒過冷却度、及びその保持時間が第５の所定値以下かつ所定時間以上継続するとき、前記圧力検知手段によって検知された前記第２補助熱交換器内圧力が前記放熱用熱交換器内圧力以上の場合には、前記第２補助熱交換器内圧力が前記放熱用熱交換器内圧力より低くなるまで前記室内ファンを停止し、前記第２補助熱交換器内圧力が前記放熱用熱交換器内圧力より低い場合には、前記冷媒過冷却度、及びその保持時間が第５の所定値より大きい第６の所定値以上かつ所定時間以上継続するまで前記第２流量弁を所定開度まで開き、前記冷媒過冷却度、及びその保持時間が第６の所定値より大きい第７の所定値以上かつ所定時間以上継続するとき、前記第２補助熱交換器内圧力が前記放熱用熱交換器内圧力以下の場合には、前記第２補助熱交換器内圧力が前記放熱用熱交換器内圧力より高くなるまで前記圧縮機を停止し、前記第２補助熱交換器内圧力が前記放熱用熱交換器内圧力より高い場合には、前記冷媒過冷却度、及びその保持時間が第７の所定値より小さく第６の所定値より大きい第８の所定値以下かつ所定時間以上継続するまで前記第２流量弁を所定開度まで開くことを特徴とする蓄熱式空気調和機。
【発明の詳細な説明】
【０００１】
【産業上の利用分野】
本発明は、空気を熱源とする空気調和機において、夜間電力を利用するための蓄熱・放熱機能、及びその制御機能を備えた蓄熱式空気調和機に関する。
【０００２】
【従来の技術】
蓄熱式空気調和機については、既にさまざまな開発がなされており、例えば、特開平３−１４４２３６号公報に示されているような蓄熱式空気調和機がある。
【０００３】
その基本的な技術について述べると、図７に示すように、室外機１は、圧縮機２、四方弁３、室外側熱交換器４、膨張弁５、第１切替弁ＫＶ１、第１補助熱交換器７ａと第２補助熱交換器７ｂとからなる冷媒対冷媒熱交換器ＨＥＸ、蓄熱用熱交換器８ａと放熱用熱交換器８ｂと蓄熱材である水９とからなる蓄熱槽ＳＴＲ、冷媒の流路を切替える第２切替弁ＫＶ２、冷媒量を調節する冷媒タンク１１、及び液冷媒を搬送する冷媒搬送ポンプＰＭとから構成されている。また、複数の室内機１３ａ，１３ｂは、利用側熱交換器１４ａ，１４ｂから構成されている。
【０００４】
また、熱源側冷凍サイクルは、圧縮機２、四方弁３、室外側熱交換器４、膨張弁５、第１切替弁ＫＶ１、冷媒対冷媒熱交換器ＨＥＸの第１補助熱交換器７ａが順次環状に接続され、蓄熱槽ＳＴＲの蓄熱用熱交換器８ａの一端が、第１切替弁ＫＶ１に接続され蓄熱槽ＳＴＲの蓄熱用熱交換器８ａの他端が、冷媒対冷媒熱交換器ＨＥＸの第１補助熱交換器７ａと四方弁３との間に連通してなる。
【０００５】
利用側冷凍サイクルは、冷媒タンク１１、冷媒搬送ポンプＰＭ、室内機１３ａ，１３ｂの利用側熱交換器１４ａ，１４ｂ、第２切替弁ＫＶ２、冷媒対冷媒熱交換器ＨＥＸの第２補助熱交換器７ｂが順次環状に接続され、蓄熱槽ＳＴＲの放熱用熱交換器８ｂの一端が、第２切替弁ＫＶ２に接続され蓄熱槽ＳＴＲの放熱用熱交換器８ｂの他端が、冷媒対冷媒熱交換器ＨＥＸの第２補助熱交換器７ｂと冷媒タンク１１との間に連通してなる。
【０００６】
次に、その冷凍サイクルについて説明する。この冷凍サイクルは、夜間に製氷する冷房蓄熱運転（または、温水を作る暖房蓄熱運転）と、昼間の冷房運転（または、暖房運転）に大きく分けることができる。尚、暖房蓄熱運転と昼間の暖房運転については、運転モ−ドのみの説明にとどめ詳細な説明は割愛する。
Ａ）夜間蓄熱運転
熱源側冷凍サイクルにおいて、蓄熱槽ＳＴＲが作用し、冷媒対冷媒熱交換器ＨＥＸは作用しないように第１切替弁ＫＶ１を切替える。この時、冷媒搬送ポンプＰＭは停止しており、利用側サイクルは作用しない。この熱源側冷凍サイクルの作用について、以下説明する。
【０００７】
尚、四方弁３のモ−ドについては、圧縮機２の吐出側と室外側熱交換器４とを、かつ圧縮機２の吸入側と蓄熱槽ＳＴＲとを連通する場合を冷房モ−ド、圧縮機２の吐出側と蓄熱槽ＳＴＲとを、かつ圧縮機２の吸入側と室外側熱交換器４とを連通する場合を暖房モ−ドと定義する。
【０００８】
また、第１切替弁ＫＶ１については熱源側冷凍サイクル内にて蓄熱槽ＳＴＲと膨張弁５とを連通する設定を第１ＳＴＲ回路、冷媒対冷媒熱交換器ＨＥＸと膨張弁５とを連通する設定を第１ＨＥＸ回路と定義する。
【０００９】
Ａ−１）冷房蓄熱運転
四方弁３を冷房モ−ド、膨張弁５を所定の開度、第１切替弁ＫＶ１を第１ＳＴＲ回路とする。この時、圧縮機２から送られる高温高圧の冷媒は、室外側熱交換器４にて凝縮し、膨張弁５で減圧されて液あるいは二相状態となり、蓄熱槽ＳＴＲの蓄熱用熱交換器８ａ内にて蒸発して蓄熱材である水９から吸熱した後、圧縮機２へ戻る。これにより、蓄熱槽ＳＴＲ内の蓄熱用熱交換器８ａの周囲に冷水及び氷が作られ、蓄熱されていく。
Ｂ）昼間運転
昼間時の冷房運転（または、暖房運転）は、圧縮機２と室外側熱交換器４と冷媒対冷媒熱交換器ＨＥＸと冷媒搬送ポンプＰＭと利用側熱交換器１４ａ，１４ｂを作用させる通常冷房運転（または、通常暖房運転）と、通常冷房運転（または、通常暖房運転）に蓄熱槽ＳＴＲを加えたピーク付加冷房運転（またはピーク付加暖房運転）とに分けることができる。
【００１０】
これらの運転パタ−ンにおける冷凍サイクルの作用について、以下説明する。また、第２切替弁ＫＶ２については利用側冷凍サイクル内にて冷媒対冷媒熱交換器ＨＥＸと利用側熱交換器１４ａ，１４ｂとを連通する設定を第２ＨＥＸ回路、冷媒対冷媒熱交換器ＨＥＸと蓄熱槽ＨＥＸと利用側熱交換器１４ａ，１４ｂとを連通する設定を第２（ＨＥＸ＋ＳＴＲ）回路と定義する。
【００１１】
Ｂ−１）通常冷房運転
熱源側冷凍サイクルは、四方弁３を冷房モ−ド、膨張弁５を所定の開度、第１切替弁ＫＶ１を第１ＨＥＸ回路とする。この時、圧縮機２から送られる高温高圧の冷媒は、室外側熱交換器４にて凝縮し、膨張弁５で減圧されて液あるいは二相状態となり、冷媒対冷媒熱交換器ＨＥＸの第１補助熱交換器７ａにて蒸発して、圧縮機２へ戻る。
【００１２】
利用側冷凍サイクルは、第２切替弁ＫＶ２を第２ＨＥＸ回路とする。この時、第２切替弁ＫＶ２から流出したガス冷媒は、冷媒対冷媒熱交換器ＨＥＸの第２補助熱交換器７ｂにて凝縮して液化または二相化冷媒となり、冷媒タンク１１を通って冷媒搬送ポンプＰＭによって利用側熱交換器１４ａ，１４ｂへ送られる。この時、室内空気から吸熱蒸発して冷房する。その後、冷媒は、再び第２切替弁ＫＶ２を通過して冷媒対冷媒熱交換器ＨＥＸの第２補助熱交換器７ｂへ流入する。
【００１３】
Ｂ−２）ピーク付加冷房運転
Ｂ−１の通常冷房運転に蓄熱槽ＳＴＲの放熱用熱交換器８ｂを加えた運転である。熱源側冷凍サイクルは、Ｂ−１の通常冷房運転時と同じであるので省略し、利用側冷凍サイクルについて説明する。
【００１４】
利用側冷凍サイクルは、第２切替弁ＫＶ２を第２（ＨＥＸ＋ＳＴＲ）回路とする。この時、利用側熱交換器１４ａ，１４ｂから流出したガス冷媒は、第２切替弁ＫＶ２へ流入する。第２切替弁ＫＶ２の弁開度は、蓄熱槽ＳＴＲと冷媒対冷媒熱交換器ＨＥＸの能力に合わせて調整されている。
【００１５】
第２切替弁ＫＶ２から、ガス冷媒の一部が冷媒対冷媒熱交換器ＨＥＸの第２補助熱交換器７ｂへ送られ、冷媒対冷媒熱交換器ＨＥＸの第１補助熱交換器７ａにより液化冷却されて、冷媒タンク１１へ送られる。残りのガス冷媒は、蓄熱槽ＳＴＲの放熱用熱交換器８ｂへ送られ、夜間の冷房蓄熱運転によって蓄熱槽ＳＴＲ内の蓄熱用熱交換器８ａの周囲に作られた冷水及び氷によって、冷却凝縮され液冷媒となり、冷媒タンク１１へ送られる。
【００１６】
冷媒タンク１１の液冷媒は、冷媒搬送ポンプＰＭによって、利用側熱交換器１４ａ，１４ｂへ送られ、室内空気から吸熱し蒸発して冷房する。
【００１７】
その後、ガス化した冷媒は、再び第２切替弁ＫＶ２を通過して、冷媒対冷媒熱交換器ＨＥＸの第２補助熱交換器７ｂと蓄熱槽ＳＴＲの放熱用熱交換器８ｂへ流入する。
【００１８】
この場合、熱源側冷凍サイクルの能力と、蓄熱槽ＳＴＲの放熱用熱交換器８ｂでの放熱能力とのほぼ和となり、冷房能力が増大する。
【００１９】
これら通常冷房運転やピ−ク負荷冷房運転は、室内負荷や夜間蓄熱運転で蓄熱槽ＳＴＲ内に蓄えられた蓄熱量の大きさに応じて使い分ける。例えば、早朝の室内負荷が小さい時には通常冷房運転とし、真昼時の室内負荷が大きい時にはピ−ク負荷冷房運転に切り替え、蓄熱槽ＳＴＲ内の蓄熱量か無くなると再び通常冷房運転に切り替えることで真昼のピ−ク負荷に対応できる。
【００２０】
以上のように、夜間の余剰電力エネルギーを熱に変換して蓄熱しておき、昼間にその電力を利用することにより、昼間の高負荷時刻における電力ピークを抑え、電力利用の平準化が図れる。
【００２１】
【発明が解決しようとする課題】
しかしながら、前述の従来例では、ピ−ク負荷冷房運転から通常冷房運転に切り替えた時に、蓄熱槽ＳＴＲの放熱用熱交換器８ｂ内への冷媒の溜まり込みや蓄熱槽ＳＴＲの放熱用熱交換器８ｂから冷媒が過剰に流入するため、通常冷房運転の利用側冷凍サイクル（従来例で示した第２ＨＥＸ回路）の冷媒量が適正値よりも不足若しくは過多となり、不足の場合には冷媒搬送ポンプＰＭ吸入部の冷媒過冷却度が得られず二相となり冷媒搬送ポンプＰＭの寿命が短縮し、過多の場合には利用側冷凍サイクルにおける蒸発圧力が高くなるため冷房能力が著しく低下するという欠点を有していた。
【００２２】
そこで、本発明は上記欠点を鑑み、通常冷房運転の利用側冷凍サイクルの冷媒量を適正量に調整し得る蓄熱式空気調和機を提供することを目的とするものである。
【００２３】
【課題を解決するための手段】
上記目的を達成するために本発明の蓄熱式空気調和機は、圧縮機、第１四方弁、熱源側熱交換器、第１膨張弁、第１補助熱交換器と第２補助熱交換器とからなる冷媒対冷媒熱交換器の第１補助熱交換器を順次環状に接続し、第２膨張弁と蓄熱用熱交換器と放熱用熱交換器と蓄熱材とからなる蓄熱槽の蓄熱用熱交換器との直列接続回路を、前記第１膨張弁と前記冷媒対冷媒熱交換器の第１補助熱交換器との直列接続回路に並列に接続してなる熱源側冷凍サイクルと、冷媒搬送ポンプと第２四方弁と冷媒タンクとからなるポンプユニットと、利用側熱交換器と室内流量弁と室内ファンとからなる複数の室内ユニットと、第１流量弁と前記第２補助熱交換器との直列接続回路を第２流量弁と前記放熱用熱交換器と二方弁との直列接続回路を並列に接続したものとを環状に接続してなる利用側冷凍サイクルと、前記放熱用熱交換器を使用しない冷房運転モ−ドであることを検知する運転モ−ド検知手段と、冷房運転時の前記第２補助熱交換器出口の冷媒過冷却度とその保持時間を検知する第１冷媒過冷却度検知手段と、前記第２補助熱交換器内圧力と前記放熱用熱交換器内圧力の圧力差を検知する圧力検知手段と、前記運転モ−ド検知手段と前記第１冷媒過冷却度検知手段と前記圧力検知手段とにより得られた情報に基づいて前記第２流量弁、前記室内ファン、前記圧縮機を駆動するよう演算処理を行う第１演算処理手段とから構成された第１制御装置とを有し、前記第１演算処理手段は、前記運転モ−ド検知手段によって前記放熱用熱交換器を使用しない冷房運転モ−ドであると検知したとき、前記第１冷媒過冷却度検知手段によって検知された前記冷媒過冷却度、及びその保持時間が第１の所定値以下かつ所定時間以上継続するとき、前記圧力検知手段によって検知された前記第２補助熱交換器内圧力が前記放熱用熱交換器内圧力以上の場合には、前記第２補助熱交換器内圧力が前記放熱用熱交換器内圧力より低くなるまで前記室内ファンを停止し、前記第２補助熱交換器内圧力が前記放熱用熱交換器内圧力より低い場合には、前記冷媒過冷却度、及びその保持時間が第１の所定値より大きい第２の所定値以上かつ所定時間以上継続するまで前記第２流量弁を所定開度まで開き、前記冷媒過冷却度、及びその保持時間が第２の所定値より大きい第３の所定値以上かつ所定時間以上継続するとき、前記第２補助熱交換器内圧力が前記放熱用熱交換器内圧力以下の場合には、前記第２補助熱交換器内圧力が前記放熱用熱交換器内圧力より高くなるまで前記圧縮機を停止し、前記第２補助熱交換器内圧力が前記放熱用熱交換器内圧力より高い場合には、前記冷媒過冷却度、及びその保持時間が第３の所定値より小さく第２の所定値より大きい第４の所定値以下かつ所定時間以上継続するまで前記第２流量弁を所定開度まで開くのである。
【００２４】
また、前記放熱用熱交換器を使用しない冷房運転モ−ドであることを検知する運転モ−ド検知手段と、冷房運転時の前記冷媒搬送ポンプ出口の冷媒過冷却度とその保持時間を検知する第２冷媒過冷却度検知手段と、前記第２補助熱交換器内圧力と前記放熱用熱交換器内圧力の圧力差を検知する圧力検知手段と、前記運転モ−ド検知手段と前記第２冷媒過冷却度検知手段と前記圧力検知手段とにより得られた情報に基づいて前記第２流量弁、及び前記室内ファン、及び前記圧縮機を駆動するよう演算処理を行う第２演算処理手段とから構成された第２制御装置とを有し、前記第２演算処理手段は、前記運転モ−ド検知手段によって前記放熱用熱交換器を使用しない冷房運転モ−ドであると検知したとき、前記第２冷媒過冷却度検知手段によって検知された前記冷媒過冷却度、及びその保持時間が第５の所定値以下かつ所定時間以上継続するとき、前記圧力検知手段によって検知された前記第２補助熱交換器内圧力が前記放熱用熱交換器内圧力以上の場合には、前記第２補助熱交換器内圧力が前記放熱用熱交換器内圧力より低くなるまで前記室内ファンを停止し、前記第２補助熱交換器内圧力が前記放熱用熱交換器内圧力より低い場合には、前記冷媒過冷却度、及びその保持時間が第５の所定値より大きい第６の所定値以上かつ所定時間以上継続するまで前記第２流量弁を所定開度まで開き、前記冷媒過冷却度、及びその保持時間が第６の所定値より大きい第７の所定値以上かつ所定時間以上継続するとき、前記第２補助熱交換器内圧力が前記放熱用熱交換器内圧力以下の場合には、前記第２補助熱交換器内圧力が前記放熱用熱交換器内圧力より高くなるまで前記圧縮機を停止し、前記第２補助熱交換器内圧力が前記放熱用熱交換器内圧力より高い場合には、前記冷媒過冷却度、及びその保持時間が第７の所定値より小さく第６の所定値より大きい第８の所定値以下かつ所定時間以上継続するまで前記第２流量弁を所定開度まで開くのである。
【００２５】
【作用】
放熱用熱交換器を使用しない冷房運転モ−ドで、運転回路中の冷媒量が適正量よりも過小であるとき、第２補助熱交換器出口の冷媒過冷却度が小さくなり、運転回路中の冷媒量が適正量よりも過大であるとき、第２補助熱交換器出口の冷媒過冷却度が大きくなる。
【００２６】
そこで、本発明の蓄熱式空気調和機は、運転モ−ド検知手段によって放熱用熱交換器を使用しない冷房運転モ−ドであると検知したとき、第１冷媒過冷却度検知手段によって検知された第２補助熱交換器出口の冷媒過冷却度、及びその保持時間が第１の所定値以下かつ所定時間以上継続するとき、運転回路中の冷媒量が適正量よりも過小であると判断し、圧力検知手段によって検知された第２補助熱交換器内圧力が放熱用熱交換器内圧力以上の場合には、第２補助熱交換器内圧力が放熱用熱交換器内圧力より低くなるまで室内ファンを停止し、第２補助熱交換器内圧力が放熱用熱交換器内圧力より低い場合には、第２補助熱交換器出口の冷媒過冷却度、及びその保持時間が第１の所定値より大きい第２の所定値以上かつ所定時間以上継続するまで第２流量弁を所定開度まで開き、利用側冷凍サイクルにおける運転回路中の冷媒の不足分を放熱用熱交換器内にたまっていた冷媒から補充する。
【００２７】
また、第２補助熱交換器出口の冷媒過冷却度、及びその保持時間が第２の所定値より大きい第３の所定値以上かつ所定時間以上継続するとき、運転回路中の冷媒量が適正量よりも過大であると判断し、第２補助熱交換器内圧力が放熱用熱交換器内圧力以下の場合には、第２補助熱交換器内圧力が放熱用熱交換器内圧力より高くなるまで圧縮機を停止し、第２補助熱交換器内圧力が放熱用熱交換器内圧力より高い場合には、第２補助熱交換器出口の冷媒過冷却度、及びその保持時間が第３の所定値より小さく第２の所定値より大きい第４の所定値以下かつ所定時間以上継続するまで第２流量弁を所定開度まで開き、利用側冷凍サイクルにおける運転回路中の余剰冷媒を放熱用熱交換器内にため込む。
【００２８】
このようにして、通常暖房運転の利用側冷凍サイクルの冷媒量を適正量に調整できる。
【００２９】
また、放熱用熱交換器を使用しない冷房運転モ−ドで、運転回路中の冷媒量が適正量よりも過小であるとき、冷媒搬送ポンプ出口の冷媒過冷却度が小さくなり、運転回路中の冷媒量が適正量よりも過大であるとき、冷媒搬送ポンプ出口の冷媒過冷却度が大きくなる。
【００３０】
そこで、他の本発明の蓄熱式空気調和機は、運転モ−ド検知手段によって放熱用熱交換器を使用しない冷房運転モ−ドであると検知したとき、第２冷媒過冷却度検知手段によって検知された冷媒搬送ポンプ出口の冷媒過冷却度、及びその保持時間が第５の所定値以下かつ所定時間以上継続するとき、運転回路中の冷媒量が適正量よりも過小であると判断し、圧力検知手段によって検知された第２補助熱交換器内圧力が放熱用熱交換器内圧力以上の場合には、第２補助熱交換器内圧力が放熱用熱交換器内圧力より低くなるまで室内ファンを停止し、第２補助熱交換器内圧力が放熱用熱交換器内圧力より低い場合には、冷媒搬送ポンプ出口の冷媒過冷却度、及びその保持時間が第５の所定値より大きい第６の所定値以上かつ所定時間以上継続するまで第２流量弁を所定開度まで開き、利用側冷凍サイクルにおける運転回路中の冷媒の不足分を放熱用熱交換器内にたまっていた冷媒から補充する。
【００３１】
また、冷媒搬送ポンプ出口の冷媒過冷却度、及びその保持時間が第６の所定値より大きい第７の所定値以上かつ所定時間以上継続するとき、運転回路中の冷媒量が適正量よりも過大であると判断し、第２補助熱交換器内圧力が放熱用熱交換器内圧力以下の場合には、第２補助熱交換器内圧力が放熱用熱交換器内圧力より高くなるまで圧縮機を停止し、第２補助熱交換器内圧力が放熱用熱交換器内圧力より高い場合には、冷媒搬送ポンプ出口の冷媒過冷却度、及びその保持時間が第７の所定値より小さく第６の所定値より大きい第８の所定値以下かつ所定時間以上継続するまで第２流量弁を所定開度まで開き、利用側冷凍サイクルにおける運転回路中の余剰冷媒を放熱用熱交換器内にため込む。
【００３２】
このようにして、通常暖房運転の利用側冷凍サイクルの冷媒量を適正量に調整できる。
【００３３】
【実施例】
以下、本発明の実施例を添付図面に基づいて説明を行うが、従来と同一構成については同一符号を付し、その詳細な説明を省略する。
【００３４】
図１は本発明の第１の実施例の冷凍サイクル図である。
本実施例の蓄熱式空気調和機は、室外ユニット１’と、蓄熱槽ＳＴＲと、ポンプユニットＰＵと、室内ユニット１３ａ，１３ｂとから構成されている。
【００３５】
室外ユニット１’は、圧縮機２、第１四方弁３ａ、熱源側熱交換器４、第１膨張弁５ａ、第２膨張弁５ｂ、第１補助熱交換器７ａと第２補助熱交換器７ｂとからなる冷媒対冷媒熱交換器ＨＥＸ、第２補助熱交換器７ｂ用の第１流量弁ＲＶ１、蓄熱槽ＳＴＲの放熱用熱交換器８ｂ用の第２流量弁ＲＶ２、二方弁ＮＶから構成されている。
【００３６】
蓄熱槽ＳＴＲは、蓄熱材である水９、蓄熱用熱交換器８ａ、放熱用熱交換器８ｂからなる。ポンプユニットＰＵは、冷媒タンク１１、冷媒搬送ポンプＰＭ、及び第２四方弁３ｂとからなる。室内ユニット１３ａ，１３ｂは、利用側交換器１４ａ，１４ｂ、室内流量弁１５ａ，１５ｂ、及び室内ファン１６ａ，１６ｂとから構成されている。
【００３７】
また、熱源側冷凍サイクルは、圧縮機２、第１四方弁３ａ、熱源側熱交換器４、第１膨張弁５ａ、冷媒対冷媒熱交換器ＨＥＸの第１補助熱交換器７ａを順次環状に接続し、第２膨張弁５ｂと蓄熱槽ＳＴＲの蓄熱用熱交換器８ａとの直列接続回路を、第１膨張弁５ａと冷媒対冷媒熱交換ＨＥＸ器の第１補助熱交換器７ａとの直列接続回路に並列に接続してなる。
【００３８】
また、利用側冷凍サイクルは、冷媒搬送ポンプＰＭと第２四方弁３ｂと冷媒タンク１１とからなるポンプユニットＰＵ、室内流量弁１５ａ，１５ｂ、利用側熱交換器１４ａ，１４ｂ、第２補助熱交換器７ｂ、第１流量弁ＲＶ１を順次環状に接続し、二方弁ＮＶ（好ましくは電磁弁）と放熱用熱交換器８ｂと第２流量弁ＲＶ２との直列接続回路を、第２補助熱交換器７ｂと第１流量弁ＲＶ１との直列接続回路に並列に接続してなる。
【００３９】
また、放熱用熱交換器８ｂを使用しない冷房運転モ−ドであることを検知する運転モ−ド検知手段１９と、冷房運転時の第２補助熱交換器７ｂ出口の冷媒過冷却度ＳＣＨＥＸとその保持時間を検知する第１冷媒過冷却度検知手段２０と、第２補助熱交換器内７ｂ圧力ＰＨＥＸと放熱用熱交換器８ｂ内圧力ＰＳＴＲの圧力差を検知する圧力検知手段２１と、運転モ−ド検知手段１９、第１冷媒過冷却度検知手段２０、及び圧力検知手段２１により得られた情報に基づいて、第２流量弁ＲＶ２、室内ファン１６ａ，１６ｂ、及び圧縮機２を駆動するよう演算処理を行う第１演算処理手段２２とから構成された第１制御装置ＣＮ１を備えている。
【００４０】
なお、第２補助熱交換器７ｂ出口の冷媒過冷却度ＳＣＨＥＸは、冷房運転モ−ドでの第２補助熱交換器７ｂの出口部に設けた第１圧力センサ１７と第１サ−ミスタ１８から算出する。また、第２補助熱交換器内７ｂ圧力ＰＨＥＸは、第１圧力センサ１７から検出され、放熱用熱交換器８ｂ内圧力ＰＳＴＲは、冷房運転モ−ドでの放熱用熱交換器８ｂの出口部に設けた第２圧力センサ１０から検出される。
【００４１】
従来例に説明した時と同様に、利用側冷凍サイクル内にて冷媒対冷媒熱交換器ＨＥＸと利用側熱交換器１４ａ，１４ｂとを連通する設定を第２ＨＥＸ回路、冷媒対冷媒熱交換器ＨＥＸと蓄熱槽ＳＴＲと利用側熱交換器１４ａ，１４ｂとを連通する設定を第２（ＨＥＸ＋ＳＴＲ）回路と定義する。
【００４２】
次に、この第１の実施例の構成における作用を説明する。但し、第１制御装置ＣＮ１の作用以外は従来例と同一作用であることから、各運転パタ−ンの作用については説明を省略する。そして、従来例と異なる第１制御装置ＣＮ１の作用について、図３のフローチャートを用いて説明する。
【００４３】
ＳＴＥＰ１は、運転モ−ド検知手段１９によって、昼間の冷房運転であるかどうかを検知し、昼間の冷房運転であればＳＴＥＰ２に移行し、それ以外はル−チンから抜ける。
【００４４】
ＳＴＥＰ２は、運転モ−ド検知手段１９によって、運転回路が第２ＨＥＸ回路かどうかを検知し、第２ＨＥＸ回路であればＳＴＥＰ３に移行し、それ以外はル−チンから抜ける。
【００４５】
ＳＴＥＰ３は、第１冷媒過冷却度検知手段２０により検知された第２補助熱交換器７ｂ出口の冷媒過冷却度ＳＣＨＥＸが予め決められた所定値Ａ１以上（例えば冷媒過冷却度ＳＣＨＥＸ≦４Ｋ）かつ所定時間Ｔ１（例えば５分）以上継続するとき、第１演算処理手段２２によって第２ＨＥＸ回路中の冷媒量が適正値よりも不足であると判断してＳＴＥＰ４へ移行し、それ以外はＳＴＥＰ５へ移行する。
【００４６】
ＳＴＥＰ４では、圧力検知手段２１によって検知された放熱用熱交換器８ｂ内圧力ＰＳＴＲが第２補助熱交換器７ｂ内圧力ＰＨＥＸより高い場合であればＳＴＥＰ６へ移行し、それ以外はＳＴＥＰ７へ移行する。
【００４７】
ＳＴＥＰ６では、第２流量弁ＲＶ２の開度が予め決められた所定上限開度Ｘ１（例えば５００パルス）以下ならばＳＴＥＰ８へ移行し、それ以外はＳＴＥＰ９へ移行する。
【００４８】
ＳＴＥＰ７では、第２補助熱交換器７ｂ内圧力ＰＨＥＸを強制的に低下させることを狙って、室内ファン１６ａ，１６ｂを停止し、再びＳＴＥＰ４に移行する。
【００４９】
ＳＴＥＰ８では、第２流量弁ＲＶ２を所定値ｙ１（例えば１００パルス）開けることによって、放熱用熱交換器８ｂ内圧力ＰＳＴＲと第２補助熱交換器７ｂ内圧力ＰＨＥＸの圧力差により放熱用熱交換器７ｂ内の冷媒を第２ＨＥＸ回路に補充し、ＳＴＥＰ９に移行する。
【００５０】
ＳＴＥＰ９は、第１冷媒過冷却度検知手段２０により検知された第２補助熱交換器７ｂ出口の冷媒過冷却度ＳＣＨＥＸが予め決められた所定値Ａ２未満（例えば過冷却度ＳＣＨＥＸ≧７Ｋ）かつ所定時間Ｔ２（例えば３分）以上継続するとき、第１演算処理手段２２によって第２ＨＥＸ回路中の冷媒量が適正値に達したと判断してＳＴＥＰ１０へ移行し、それ以外は再びＳＴＥＰ４へ移行する。
【００５１】
ＳＴＥＰ１０では、強制的に停止させていた室内ファン１６ａ，１６ｂを、リモコンからの冷房運転要求に従って再起動させ、ＳＴＥＰ１１に移行する。
【００５２】
ＳＴＥＰ１１では、第２流量弁ＲＶ２を全閉にして、ル−チンから抜ける。
一方、ＳＴＥＰ５では、第１冷媒過冷却度検知手段２０により検知された第２補助熱交換器７ｂ出口の冷媒過冷却度ＳＣＨＥＸが予め決められた所定値Ａ３以上（例えば過冷却度ＳＣＨＥＸ≧１５Ｋ）かつ所定時間Ｔ３（例えば５分）以上継続するとき、第１演算処理手段２２によって第２ＨＥＸ回路中の冷媒量が適正値よりも過多であると判断してＳＴＥＰ１２へ移行し、それ以外は第２ＨＥＸ回路中の冷媒量が適正値であると判断し、ル−チンから抜ける。
【００５３】
ＳＴＥＰ１２では、圧力検知手段２１によって検知された放熱用熱交換器８ｂ内圧力ＰＳＴＲが第２補助熱交換器７ｂ内圧力ＰＨＥＸより高い場合であればＳＴＥＰ１３へ移行し、それ以外はＳＴＥＰ１４へ移行する。
【００５４】
ＳＴＥＰ１３では、第２流量弁ＲＶ２の開度が予め決められた所定上限開度Ｘ２（例えば５００パルス）以下ならばＳＴＥＰ１６へ移行し、それ以外はＳＴＥＰ１５へ移行する。
【００５５】
ＳＴＥＰ１４では、熱源側冷凍サイクルから利用側冷凍サイクルへの冷熱の供給を停止させて第２補助熱交換器７ｂ内圧力ＰＨＥＸを強制的に上昇させることを狙って圧縮機２を停止し、再びＳＴＥＰ１２に移行する。
【００５６】
ＳＴＥＰ１５では、第２流量弁ＲＶ２を所定値ｙ２（例えば１００パルス）開けることによって、放熱用熱交換器８ｂ内圧力ＰＳＴＲと第２補助熱交換器７ｂ内圧力ＰＨＥＸの圧力差により、第２ＨＥＸ回路中の余剰冷媒を放熱用熱交換器８ｂ内にため込み、ＳＴＥＰ１６に移行する。
【００５７】
ＳＴＥＰ１６は、第１冷媒過冷却度検知手段２０により検知された第２補助熱交換器７ｂ出口の冷媒過冷却度ＳＣＨＥＸが予め決められた所定値Ａ４以下（例えば過冷却度ＳＣＨＥＸ≦８Ｋ）かつ所定時間Ｔ４（例えば３分）以上継続するとき、第１演算処理手段２２によって第２ＨＥＸ回路中の冷媒量が適正値に達したと判断されＳＴＥＰ１７へ移行し、それ以外は再びＳＴＥＰ１２へ移行する。
【００５８】
ＳＴＥＰ１７では、強制的に停止させていた圧縮機２を再起動させ、ＳＴＥＰ１８に移行する。
【００５９】
ＳＴＥＰ１８では、第２流量弁ＲＶ２を全閉にして、ル−チンから抜ける。
この様にして、ＳＴＥＰ１からＳＴＥＰ１８のルーチンを、冷房運転中繰り返す。
【００６０】
以上の様に、上記実施例では蓄熱式空気調和機において、運転モ−ド検知手段１９によって検知された放熱用熱交換器８ｂを使用しない冷房運転、即ち第２ＨＥＸ回路での運転において、第１冷媒過冷却度検知手段２０によって検知された冷媒過熱度ＳＣＨＥＸ、及びその保持時間が所定値Ａ１以下かつ所定時間Ｔ１以上継続するとき、運転回路中の冷媒量が適正量よりも不足であると判断する。
【００６１】
この時、圧力検知手段２１によって検知した第２補助熱交換器７ｂ内圧力ＰＨＥＸが放熱用熱交換器８ｂ内圧力ＰＳＴＲ以上の場合には、第２補助熱交換器７ｂ内圧力ＰＨＥＸが放熱用熱交換器８ｂ内圧力ＰＳＴＲより低くなるまで室内ファン１６ａ，１６ｂを停止し、第２補助熱交換器７ｂ内圧力ＰＨＥＸが放熱用熱交換器８ｂ内圧力ＰＳＴＲより低い場合は、第１演算処理手段２２によって、冷媒過冷却度ＳＣＨＥＸ、及びその保持時間が所定値Ａ２以上かつ所定時間Ｔ２以上継続するまで第２流量弁ＲＶ２を所定上限開度Ｘ１を上限に所定開度ｙ１づつ開くことによって、放熱用熱交換器８ｂ内の冷媒を第２ＨＥＸ回路での運転回路に補充する。
【００６２】
一方、第１冷媒過冷却度検知手段２０によって検知された冷媒過冷却度ＳＣＨＥＸ、及びその保持時間が所定値Ａ３以上かつ所定時間Ｔ１以上継続するとき、運転回路中の冷媒量が適正量よりも過多であると判断する。
【００６３】
この時、圧力検知手段２１によって検知した第２補助熱交換器７ｂ内圧力ＰＨＥＸが放熱用熱交換器８ｂ内圧力ＰＳＴＲ以下の場合には、第２補助熱交換器７ｂ内圧力ＰＨＥＸが放熱用熱交換器８ｂ内圧力ＰＳＴＲより高くなるまで、圧縮機２を停止し、第２補助熱交換器７ｂ内圧力ＰＨＥＸが放熱用熱交換器８ｂ内圧力ＰＳＴＲより高い場合は、第１演算処理手段２２によって、冷媒過冷却度ＳＣＨＥＸが所定値Ａ４以下かつ所定時間Ｔ４以上継続するまで第２流量弁ＲＶ２を所定上限開度Ｘ２を上限に所定開度ｙ２づつ開くことによって、第２ＨＥＸ回路での運転回路の余剰冷媒を放熱用熱交換器８ｂにため込むことができる。
【００６４】
従って、放熱用熱交換器８ｂ内への冷媒の溜まり込みや放熱用熱交換器８ｂから第２補助熱交換器７ｂ側へ冷媒が過剰に流入することなく、第２ＨＥＸ回路の冷媒量を適正量に制御できるので、冷媒搬送ポンプＰＭの信頼性を確保でき、冷房能力の低下防止を可能にできる。
【００６５】
次に、第２の実施例を添付図面に基づいて説明を行うが、第１の実施例と同一構成については同一符号を付し、その詳細な説明を省略する。
【００６６】
図２は本発明の第２の実施例における冷凍サイクル図である。
本実施例の蓄熱式空気調和機は、複数の室外ユニット１’と、複数の蓄熱槽ＳＴＲと、ポンプユニットＰＵと、複数の室内ユニット１３ａ，１３ｂとから構成されている。
【００６７】
第２制御装置ＣＮ２は、第１の実施例における第１制御装置ＣＮ１の第１冷媒過冷却度検知手段２０の代わりに、冷媒搬送ポンプＰＭ出口部の冷媒過冷却度ＳＣＰｄとその保持時間を検知する第２冷媒過冷却度検知手段２７と、第１演算処理手段２２の代わりに、第２冷媒過冷却度検知手段２７、及び圧力検知手段２１により得られた情報に基づいて第２流量弁ＲＶ２、室内ファン１６ａ，１６ｂ、圧縮機２を駆動するよう演算処理を行う第２演算処理手段２８とを備えたものである。
【００６８】
なお、冷媒搬送ポンプＰＭ出口部の冷媒過冷却度ＳＣＰｄは、冷媒搬送ポンプＰＭ出口部に設けた第３圧力センサー２５と第２サーミスタ２６から算出される。
【００６９】
次に、この第２の実施例の構成における作用を説明する。但し、本実施例はポンプユニットＰＵと第２制御装置ＣＮ２を除いて、第１の実施例を単純に複数にしたものと解釈でき、第２制御装置ＣＮ２の作用以外は第１の実施例と同一作用であることから、各運転パタ−ンの作用については説明を省略する。そして、第１の実施例と異なる第２制御装置ＣＮ２の作用について、図６のフローチャートを用いて説明する。
【００７０】
ＳＴＥＰ１は、運転モ−ド検知手段１９によって、昼間の冷房運転であるかどうかを検知し、昼間の冷房運転であればＳＴＥＰ２に移行し、それ以外はル−チンから抜ける。
【００７１】
ＳＴＥＰ２は、運転モ−ド検知手段１９によって、運転回路が第２ＨＥＸ回路かどうかを検知し、第２ＨＥＸ回路であればＳＴＥＰ３に移行し、それ以外はル−チンから抜ける。
【００７２】
ＳＴＥＰ３は、第２冷媒過冷却度検知手段２７により検知された冷媒搬送ポンプＰＭ出口部の冷媒過冷却度ＳＣＰｄが予め決められた所定値Ａ５以下（例えば過冷却度ＳＣＰｄ≦７Ｋ）かつ所定時間Ｔ５（例えば５分）以上継続するとき、第２演算処理手段２８によって第２ＨＥＸ回路中の冷媒量が適正値よりも不足であると判断してＳＴＥＰ４へ移行し、それ以外はＳＴＥＰ５へ移行する。
【００７３】
ＳＴＥＰ４では、圧力検知手段２１によって検知された放熱用熱交換器８ｂ内圧力ＰＳＴＲが第２補助熱交換器７ｂ内圧力ＰＨＥＸより高い場合であればＳＴＥＰ６へ移行し、それ以外はＳＴＥＰ７へ移行する。
【００７４】
ＳＴＥＰ６では、第２流量弁ＲＶ２の開度が予め決められた所定上限開度Ｘ３（例えば５００パルス）以下ならばＳＴＥＰ８へ移行し、それ以外はＳＴＥＰ９へ移行する。
【００７５】
ＳＴＥＰ７では、第２補助熱交換器７ｂ内圧力ＰＨＥＸを強制的に低下させることを狙って室内ファン１６ａ，１６ｂを停止し、再びＳＴＥＰ４に移行する。
【００７６】
ＳＴＥＰ８では、第２流量弁ＲＶ２を所定値ｙ３（例えば１００パルス）開けることによって、放熱用熱交換器８ｂ内圧力ＰＳＴＲと第２補助熱交換器７ｂ内圧力ＰＨＥＸの圧力差により放熱用熱交換器７ｂ内の冷媒を第２ＨＥＸ回路に補充し、ＳＴＥＰ９に移行する。
【００７７】
ＳＴＥＰ９は、第２冷媒過冷却度検知手段２７により検知された冷媒搬送ポンプＰＭ出口部の冷媒過冷却度ＳＣＰｄが予め決められた所定値Ａ６以上（例えば過冷却度ＳＣＰｄ≧１０Ｋ）かつ所定時間Ｔ６（例えば３分）以上継続するとき、第２演算処理手段２８によって第２ＨＥＸ回路中の冷媒量が適正値に達したと判断されＳＴＥＰ１０へ移行し、それ以外は再びＳＴＥＰ４へ移行する。
【００７８】
ＳＴＥＰ１０では、強制的に停止させていた室内ファン１６ａ，１６ｂを、リモコンからの冷房運転要求に従って再起動させ、ＳＴＥＰ１１に移行する。
【００７９】
ＳＴＥＰ１１では、第２流量弁ＲＶ２を全閉にして、ル−チンから抜ける。
一方、ＳＴＥＰ５では、第２冷媒過冷却度検知手段２７により検知された冷媒搬送ポンプＰＭ出口部の冷媒過冷却度ＳＣＰｄが予め決められた所定値Ａ７以上（例えば過冷却度ＳＣＰｄ≧２０Ｋ）かつ所定時間Ｔ７（例えば５分）以上継続するとき、第２演算処理手段２８によって第２ＨＥＸ回路中の冷媒量が適正値よりも過多であると判断してＳＴＥＰ１２へ移行し、それ以外は第２ＨＥＸ回路中の冷媒量が適正値であると判断し、ル−チンから抜ける。
【００８０】
ＳＴＥＰ１２では、圧力検知手段２１によって検知された放熱用熱交換器８ｂ内圧力ＰＳＴＲが第２補助熱交換器７ｂ内圧力ＰＨＥＸより高い場合であればＳＴＥＰ１３へ移行し、それ以外はＳＴＥＰ１４へ移行する。
【００８１】
ＳＴＥＰ１３では、第２流量弁ＲＶ２の開度が予め決められた所定上限開度Ｘ４（例えば５００パルス）以下ならばＳＴＥＰ１６へ移行し、それ以外はＳＴＥＰ１５へ移行する。
【００８２】
ＳＴＥＰ１４では、熱源側冷凍サイクルから利用側冷凍サイクルへの冷熱の供給を停止させて第２補助熱交換器７ｂ内圧力ＰＨＥＸを強制的に上昇させることを狙って、圧縮機２を停止し、再びＳＴＥＰ１２に移行する。
【００８３】
ＳＴＥＰ１５では、第２流量弁ＲＶ２を所定値ｙ４（例えば１００パルス）開けることによって、放熱用熱交換器８ｂ内圧力ＰＳＴＲと第２補助熱交換器７ｂ内圧力ＰＨＥＸの圧力差により、第２ＨＥＸ回路中の余剰冷媒を放熱用熱交換器８ｂ内にため込み、ＳＴＥＰ１６に移行する。
【００８４】
ＳＴＥＰ１６は、第２冷媒過冷却度検知手段２７により検知された冷媒搬送ポンプＰＭ出口部の冷媒過冷却度ＳＣＰｄが予め決められた所定値Ａ８以下（例えば過冷却度ＳＣＰｄ≦１２Ｋ）かつ所定時間Ｔ８（例えば３分）以上継続するとき、第２演算処理手段２８によって第２ＨＥＸ回路中の冷媒量が適正値に達したと判断されＳＴＥＰ１７へ移行し、それ以外は再びＳＴＥＰ１２へ移行する。
【００８５】
ＳＴＥＰ１７では、強制的に停止させていた圧縮機２を、再起動させ、ＳＴＥＰ１８に移行する。
【００８６】
ＳＴＥＰ１８では、第２流量弁ＲＶ２を全閉にして、ル−チンから抜ける。
この様にして、ＳＴＥＰ１からＳＴＥＰ１８のルーチンを、冷房運転中繰り返す。
【００８７】
以上の様に、上記実施例では蓄熱式空気調和機において、運転モ−ド検知手段１９によって検知された放熱用熱交換器８ｂを使用しない冷房運転、即ち第２ＨＥＸ回路での運転において、第２冷媒過冷却度検知手段２７によって検知された冷媒搬送ポンプＰＭの出口部の冷媒過冷却度ＳＣＰｄ、及びその保持時間が所定値Ａ５以上かつ所定時間Ｔ５以上継続するとき、運転回路中の冷媒量が適正量よりも不足であると判断する。
【００８８】
この時、圧力検知手段２１によって検知した第２補助熱交換器７ｂ内圧力ＰＨＥＸが放熱用熱交換器８ｂ内圧力ＰＳＴＲ以上の場合には、第２補助熱交換器７ｂ内圧力ＰＨＥＸが放熱用熱交換器８ｂ内圧力ＰＳＴＲより低くなるまで室内ファン１６ａ，１６ｂを停止し、第２補助熱交換器７ｂ内圧力ＰＨＥＸが放熱用熱交換器８ｂ内圧力ＰＳＴＲより低い場合に、第２演算処理手段２８によって、冷媒過冷却度ＳＣＰｄ、及びその保持時間が所定値Ａ６以上かつ所定時間Ｔ６以上継続するまで第２流量弁ＲＶ２を所定上限開度Ｘ３を上限に所定開度ｙ３づつ開くことによって、放熱用熱交換器８ｂ内の冷媒を、第２ＨＥＸ回路での運転回路に補充する。
【００８９】
一方、第２冷媒過冷却度検知手段２７によって検知された冷媒過冷却度ＳＣＰｄ、及びその保持時間が所定値Ａ７以上かつ所定時間Ｔ７以上継続するとき、運転回路中の冷媒量が適正量よりも過多であると判断する。
【００９０】
この時、圧力検知手段２１によって第２補助熱交換器７ｂ内圧力ＰＨＥＸが放熱用熱交換器８ｂ内圧力ＰＳＴＲ以下の場合には、第２補助熱交換器７ｂ内圧力ＰＨＥＸが放熱用熱交換器８ｂ内圧力ＰＳＴＲより高くなるまで圧縮機２を停止し、第２補助熱交換器７ｂ内圧力ＰＨＥＸが放熱用熱交換器８ｂ内圧力ＰＳＴＲより高い場合に、第２演算処理手段２８によって、冷媒過冷却度ＳＣＰｄが所定値Ａ８以下かつ所定時間Ｔ８以上継続するまで第２流量弁ＲＶ２を所定上限開度Ｘ４を上限に所定開度ｙ４づつ開くことによって、第２ＨＥＸ回路での運転回路の余剰冷媒を放熱用熱交換器８ｂにため込むことができる。
【００９１】
従って、放熱用熱交換器８ｂ内への冷媒の溜まり込みや放熱用熱交換器８ｂから第２補助熱交換器７ｂ側へ冷媒が過剰に流入することなく、第２ＨＥＸ回路の冷媒量を適正量に制御できるので、冷媒搬送ポンプＰＭの信頼性を確保でき、暖房能力の低下防止を可能にできる。
【００９２】
さらに、本実施例では、システム容量が大きく冷媒対冷媒熱交換器ＨＥＸが複数台ある場合には、第１冷媒過熱度検知手段２０を用いる方法では冷媒過冷却度ＳＣＨＥＸの検知箇所も複数個必要になるのに対し、第１冷媒過熱度検知手段２０の代わりに冷媒搬送ポンプＰＭ出口部の冷媒過冷却度ＳＣＰｄを検知する第２冷媒過冷却度検知手段２７を採用することで冷媒量の過不足の検知箇所が１箇所となるため、コストダウンも併せて効果となり得る。
【００９３】
【発明の効果】
以上のように本発明の蓄熱式空気調和機は、圧縮機、第１四方弁、熱源側熱交換器、第１膨張弁、第１補助熱交換器と第２補助熱交換器とからなる冷媒対冷媒熱交換器の第１補助熱交換器を順次環状に接続し、第２膨張弁と蓄熱用熱交換器と放熱用熱交換器と蓄熱材とからなる蓄熱槽の蓄熱用熱交換器との直列接続回路を、前記第１膨張弁と前記冷媒対冷媒熱交換器の第１補助熱交換器との直列接続回路に並列に接続してなる熱源側冷凍サイクルと、冷媒搬送ポンプと第２四方弁と冷媒タンクとからなるポンプユニットと、利用側熱交換器と室内流量弁と室内ファンとからなる複数の室内ユニットと、第１流量弁と前記第２補助熱交換器との直列接続回路を第２流量弁と前記放熱用熱交換器と二方弁との直列接続回路を並列に接続したものとを環状に接続してなる利用側冷凍サイクルと、前記放熱用熱交換器を使用しない冷房運転モ−ドであることを検知する運転モ−ド検知手段と、冷房運転時の前記第２補助熱交換器出口の冷媒過冷却度とその保持時間を検知する第１冷媒過冷却度検知手段と、前記第２補助熱交換器内圧力と前記放熱用熱交換器内圧力の圧力差を検知する圧力検知手段と、前記運転モ−ド検知手段と前記第１冷媒過冷却度検知手段と前記圧力検知手段とにより得られた情報に基づいて前記第２流量弁、前記室内ファン、前記圧縮機を駆動するよう演算処理を行う第１演算処理手段とから構成された第１制御装置とを有し、前記第１演算処理手段は、前記運転モ−ド検知手段によって前記放熱用熱交換器を使用しない冷房運転モ−ドであると検知したとき、前記第１冷媒過冷却度検知手段によって検知された前記冷媒過冷却度、及びその保持時間が第１の所定値以下かつ所定時間以上継続するとき、前記圧力検知手段によって検知された前記第２補助熱交換器内圧力が前記放熱用熱交換器内圧力以上の場合には、前記第２補助熱交換器内圧力が前記放熱用熱交換器内圧力より低くなるまで前記室内ファンを停止し、前記第２補助熱交換器内圧力が前記放熱用熱交換器内圧力より低い場合には、前記冷媒過冷却度、及びその保持時間が第１の所定値より大きい第２の所定値以上かつ所定時間以上継続するまで前記第２流量弁を所定開度まで開き、前記冷媒過冷却度、及びその保持時間が第２の所定値より大きい第３の所定値以上かつ所定時間以上継続するとき、前記第２補助熱交換器内圧力が前記放熱用熱交換器内圧力以下の場合には、前記第２補助熱交換器内圧力が前記放熱用熱交換器内圧力より高くなるまで前記圧縮機を停止し、前記第２補助熱交換器内圧力が前記放熱用熱交換器内圧力より高い場合には、前記冷媒過冷却度、及びその保持時間が第３の所定値より小さく第２の所定値より大きい第４の所定値以下かつ所定時間以上継続するまで前記第２流量弁を所定開度まで開くのである。
【００９４】
そのため、運転回路中の冷媒量が適正量よりも過大であるときは、利用側冷凍サイクルにおける運転回路中の余剰冷媒を放熱用熱交換器内にため込むことができ、運転回路中の冷媒量が適正量よりも過小であるときは、利用側冷凍サイクルにおける運転回路中の冷媒の不足分を放熱用熱交換器内にたまっていた冷媒から補充することができ、放熱用熱交換器内への冷媒の溜まり込みや放熱用熱交換器から第２補助熱交換器側へ冷媒が過剰に流入することなく、通常冷房運転の利用側冷凍サイクルの冷媒量を適正量に調整できるので、冷媒搬送ポンプ吸入部の冷媒過冷却度を保持し冷媒搬送ポンプの信頼性の確保と暖房能力の低下防止を可能にでき、且つ熱源側冷凍サイクルから利用側冷凍サイクルへの熱交換もスム−ズにできるため圧縮機吐出圧力の過昇を防止することができるという効果がある。
【００９５】
また、前記第１冷媒過冷却度検知手段の代わりに、冷媒搬送ポンプ出口の冷媒過冷却度とその保持時間を検知する第２冷媒過冷却度検知手段と、第１演算処理手段の代わりに、運転モ−ド検知手段、冷媒過冷却度検知手段、及び圧力検知手段により得られた情報に基づいて第２流量弁、及び室内ファン、及び圧縮機を駆動するよう演算処理を行う第２演算処理手段とを備え、前記第２演算処理手段は、前記運転モ−ド検知手段によって前記放熱用熱交換器を使用しない冷房運転モ−ドであると検知したとき、前記第２冷媒過冷却度検知手段によって検知された前記冷媒過冷却度、及びその保持時間が第５の所定値以下かつ所定時間以上継続するとき、前記圧力検知手段によって検知された前記第２補助熱交換器内圧力が前記放熱用熱交換器内圧力以上の場合には、前記第２補助熱交換器内圧力が前記放熱用熱交換器内圧力より低くなるまで前記室内ファンを停止し、前記第２補助熱交換器内圧力が前記放熱用熱交換器内圧力より低い場合には、前記冷媒過冷却度、及びその保持時間が第５の所定値より大きい第６の所定値以上かつ所定時間以上継続するまで前記第２流量弁を所定開度まで開き、前記冷媒過冷却度、及びその保持時間が第６の所定値より大きい第７の所定値以上かつ所定時間以上継続するとき、前記第２補助熱交換器内圧力が前記放熱用熱交換器内圧力以下の場合には、前記第２補助熱交換器内圧力が前記放熱用熱交換器内圧力より高くなるまで前記圧縮機を停止し、前記第２補助熱交換器内圧力が前記放熱用熱交換器内圧力より高い場合には、前記冷媒過冷却度、及びその保持時間が第７の所定値より小さく第６の所定値より大きい第８の所定値以下かつ所定時間以上継続するまで前記第２流量弁を所定開度まで開くのである。
【００９６】
そのため、運転回路中の冷媒量が適正量よりも過大であるときは、利用側冷凍サイクルにおける運転回路中の余剰冷媒を放熱用熱交換器内にため込むことができ、運転回路中の冷媒量が適正量よりも過小であるときは、利用側冷凍サイクルにおける運転回路中の冷媒の不足分を放熱用熱交換器内にたまっていた冷媒から補充することができ、放熱用熱交換器内への冷媒の溜まり込みや放熱用熱交換器から第２補助熱交換器側へ冷媒が過剰に流入することなく、通常暖房運転の利用側冷凍サイクルの冷媒量を適正量に調整できるので、冷媒搬送ポンプの信頼性確保と暖房能力の低下防止を可能とするという効果があるだけでなく、システム容量が大きく冷媒対冷媒熱交換器が複数台ある場合でも、冷媒量の過不足の検知箇所が１箇所となるため、コストダウンが図られるという効果がある。
【図面の簡単な説明】
【図１】本発明の第１の実施例による蓄熱式空気調和機の冷凍サイクル図
【図２】同実施例の蓄熱式空気調和機における第１制御装置のブロック図
【図３】同実施例の蓄熱式空気調和機の動作フローチャート
【図４】本発明の第２の実施例における蓄熱式空気調和機の冷凍サイクル図
【図５】同実施例の蓄熱式空気調和機における第２制御装置のブロック図
【図６】同実施例の蓄熱式空気調和機の動作フローチャート
【図７】従来例を示す蓄熱式空気調和機の冷凍サイクル図
【符号の説明】
２    圧縮機
３ａ  第１四方弁
３ｂ  第２四方弁
４    熱源側熱交換器
５ａ  第１膨張弁
５ｂ  第２膨張弁
７ａ  第１補助熱交換器
７ｂ  第２補助熱交換器
８ａ  蓄熱用熱交換器
８ｂ  放熱用熱交換器
９    蓄熱材
１１  冷媒タンク
１３ａ，１３ｂ  室内ユニット
１４ａ，１４ｂ  利用側熱交換器
１５ａ，１５ｂ  室内流量弁
１６ａ，１６ｂ  室内ファン
１９    運転モード検知手段
２０    第１冷媒過冷却度検知手段
２１    圧力検知手段
２２    第１演算処理手段
２７    第２冷媒過冷却度検知手段
２８    第２演算処理手段
ＳＴＲ  蓄熱槽
ＨＥＸ  冷媒対冷媒熱交換器
ＰＭ    冷媒搬送ポンプ
ＰＵ        ポンプユニット
ＲＶ１  第１流量弁
ＲＶ２  第２流量弁
ＮＶ        二方弁
ＣＮ１    第１制御装置
ＣＮ２    第２制御装置
【図１】
0003606907.tif 000002
【図２】
0003606907.tif 000003
【図３】
0003606907.tif 000004
【図４】
0003606907.tif 000005
【図５】
0003606907.tif 000006
【図６】
0003606907.tif 000007
【図７】
0003606907.tif 000008